(57)【要約】【課題】自動販売機の管理、納品を行うルートマンが短時間で自動販売機への商品の補充することができ、管理コストの低減が実現できる商品仕分装置を提供することを目的とする。また、この発明は、自動販売機が備えている機能を生かしながら、リサイクルが実現できる商品仕分装置を提供する。【解決手段】装置本体は、装置本体の前面上部に設置された商品投入口と、前記装置本体内に設置され、商品投入口から投入された商品を装置本体の上部から下部に向けて収納する商品収納部と、前記商品収納部の下部から前記商品を排出するベンド機構を備えており、前記ベンド機構から排出された商品を斜め下方向に送出する第１シューターおよび第２シューターとを有し、第１シューターから送出された商品は第２シューターにより反転されて逆方向に送出され、第２シューターから排出される商品はダンパー材に一旦受け止められ、その後コンテナに収容される。【選択図】図１
2019008755.tif 000002
【特許請求の範囲】
【請求項１】
装置本体と、前記装置本体の前面上部に設置された商品投入口と、前記装置本体内に設置され、前記商品投入口から投入された商品を装置本体の上部から下部に向けて収納する商品収納部と、前記商品収納部の下部から前記商品を排出するベンド機構を備え、前記ベンド機構から排出された商品を斜め下方向に送出する第１シューターと、前記第１シューターから送出された商品を反転し、斜め下方向に送出する第２シューターと、第２シューターから排出される商品を受け止めるダンパー材と、
から構成されていることを特徴とする商品仕分装置。
【請求項２】
前記第１シューターは、前記ベンド機構から排出された商品を装置本体の前面に向けて斜め方向に送出する傾斜板を有し、
前記第２シューターは、前記第１シューターから送出された商品を反転し、装置本体の背面に向かって斜め下方向に送出する傾斜板を有することを特徴とする請求項１に記載の商品仕分装置。
【請求項３】
前記第１シューターの側部には前記ベンド機構より排出された前記商品を前記第１シューターの中央に集まるように側面傾斜部が設けられており、前記第１シューターの幅よりも狭い幅の前記第２シューターの傾斜部に前記商品が送出されるように構成されている請求項１に記載の商品仕分装置。
【発明の詳細な説明】
【技術分野】
【０００１】  飲料などの商品を自動販売機に補充するために、補充対象の商品を配送前にあらかじめ仕分けておくための商品仕分装置に関する。
【背景技術】
【０００２】  自動販売機への商品の補充は、自動販売機の管理、納品を行うルートマンによって行われている。このルートマンは営業所などの倉庫で、運搬トラックに商品を積み込み、自動販売機が設置されている各所を巡回、配送している。ルートマンは自動販売機の各設置各所で、自動販売機に備え付けのリモコンを操作して売上データなどの販売情報を取得している。この販売情報を基に商品運搬トラックの収容棚からその都度必要な数の商品を取り出し、自動販売機に補充している。【０００３】  このように、ルートマンは、自動販売機の設置されている各所で販売情報を取得し、補充が必要な商品をする作業に従事するため、移動作業はもちろん、移動先各所での補充作業を伴うため、作業効率が悪いという問題がある。
このような問題に関連する技術として、商品仕分システム、商品投入装置及び商品仕分方法が提案されている（特許文献１参照）。
【先行技術文献】
【特許文献】
【０００４】
【特許文献１】特開２００９−８７２０７号公報
【発明の概要】
【発明が解決しようとする課題】
【０００５】ところで、自動販売機は、地球環境の保護とともに省エネが求められており、性能向上のための開発が進められている。一方、この性能向上のための開発に伴い、旧型のものが廃棄されているのが現状である。
自動販売機の廃棄に当っては、飲料メーカーや管理運営業者などにより「廃棄物の処理及び清掃に関する法律」を遵守しながら、旧型の自動販売機は産業廃棄物として処理することになる。具体的には、有害物質を含む部品などを事前選別した後、シュレッダーで破砕処理され、鉄やアルミは再生資源としてリサイクルされる。その他の部品等はシュレッダーダストとして管理型処分場に埋め立てられている。【０００６】  この発明は、以上のような事情に鑑みて、ルートマンが短時間で自動販売機への商品の補充をすることができ、管理コストの低減が実現できる商品仕分装置を提供することを目的とする。
また、この発明は、自動販売機が備えている機能を生かしながら、リサイクルの要求を実現できる商品仕分装置を提供することを目的とする。
【課題を解決するための手段】
【０００７】  上記目的を達成するため、この発明の第１の要旨とする商品仕分装置は、
装置本体と、前記装置本体の前面上部に設置された商品投入口と、前記装置本体内に設置され、前記商品投入口から投入された商品を装置本体の上部から下部に向けて収納する商品収納部と、前記商品収納部の下部から前記商品を排出するベンド機構を備え、前記ベンド機構から排出された商品を斜め下方向に送出する第１シューターと、前記第１シューターから送出された商品を反転し、斜め下方向に送出する第２シューターと、第２シューターから排出される商品を受け止めるダンパー材と、から構成されていることを特徴とする。【０００８】  また、この発明の第２の要旨とする商品仕分装置は、第１の要旨とする商品仕分装置において、
前記第１シューターは、前記ベンド機構から排出された商品を装置本体の前面に向けて斜め方向に送出する傾斜板を有し、
前記第２シューターは、前記第１シューターから送出された商品を反転し、装置本体の背面に向かって斜め下方向に送出する傾斜板を有することを特徴とする。【０００９】  また、この発明の第３の要旨とする商品仕分装置は、第１の要旨とする商品仕分装置において、
前記第１シューターの側部には前記ベンド機構より排出された前記商品を前記第１シューターの中央に集まるように側面傾斜部が設けられており、前記第１シューターの幅よりも狭い幅の前記第２シューターの傾斜部に前記商品が送出されるように構成されていることを特徴とする。
【発明の効果】
【００１０】  この発明に係る商品仕分装置によれば、各所に設置している自動販売機に補充すべき商品をあらかじめ仕分場内で、各所の自動販売機ごとに仕分することができる。ルートマンは、補充すべき商品を自動販売機が設置されている各所で商品運搬トラックからバラの商品出しや仕分をする必要がない。したがって、ルートマンは路上での荷捌きが短時間で行え、効率よく各所に設置している自動販売機に商品を補充することができる。【００１１】  また、この商品仕分装置によれば、廃棄される自動販売機のうち、商品収納部、ベンド機構などを再利用することができ、コストダウンを実現することができる。
また、この商品仕分装置によれば、コンテナに収容される前に商品がダンパー材で一旦受け止められるので、落下エネルギーが緩和され、商品のヘコミ、傷などの発生を防止することができる。
さらに、この発明の第３の要旨に係る商品仕分装置によれば、第２シューターから排出される段階で、商品が散らばることなくコンテナに集められて収容されることになる。
【図面の簡単な説明】
【００１２】
【図１】この発明の実施形態に係る商品仕分装置の概略側面図
【図２】この発明の実施形態に係る商品仕分装置の前面の一部を示す概略斜視図
【図３】この発明の実施形態に係る商品仕分装置の背面の一部を示す概略斜視図
【発明を実施するための形態】
【００１３】  以下、この発明の実施の形態を図面に基づき説明する。
図１はこの発明の実施形態に係る商品仕分装置の概略側面図である。図２はこの発明の実施形態に係る商品仕分装置の前面の一部を示す概略斜視図である。図３はこの発明の実施形態に係る商品仕分装置の背面の一部を示す概略斜視図である。
【００１４】  図１に示す商品仕分装置について、その主要な構成を説明すると、装置本体１０と、商品Ｇを収容し格納する商品収容部２０と、商品収容部２０から商品Ｇを１個ずつ排出するベンド機構３０と、シューター部４０とで構成されている。
【００１５】  装置本体１０は、自動販売機としてもともと機能していたものが再利用される。つまり、自動販売機に備わっていた扉、サンプル、コイン・紙幣投入口、電照板、商品取り出し口などが取り外される。さらに、自動販売機に備わっている凝縮器、圧縮機、ヒーターなども取り外される。商品収納部２０を構成するサーペンタインラックや、ベンド機構３０は二次的に再利用するので、コストを大幅に下げることができる。
【００１６】  商品収容部２０はコラムとも呼ばれ、図２に示すものについては、５つの商品収容部が構成されている。図１に示すように、各商品収容部２０には缶入り飲料などの容器Ｇが収納される。装置本体１０の前面１２には商品ケース載置台１４が設けられている。この商品ケース載置台１４には缶入り飲料を入れている商品ケースが置かれ、この商品ケースから缶入り飲料を取出し、装置本体１０の前面上部にある商品投入口１１に缶入り飲料など筒状の商品Ｇが投入される。商品投入口１１から投入された商品Ｇは装置本体１０の上部から自然落下により下部に向けて転がり、破線で示すように曲がりくねっている、いわゆるサーペンタインラックと呼ばれる通路２１に収容される。
通路２１は、湾曲したセグメント２２を組み合わせて構成されている。商品投入口１１２から投入された商品Ｇは、通路２１を通過してベンド機構３０で止まり、次に投入された商品Ｇがその上に積み上げられる。
【００１７】  ベンド機構３０は、ベンドメック３１と調整板３２とから構成されている。ベンドメック３１は図示しないソレノイドなどによって駆動されるベンド３３を備えている。ベンド機構３１は、このベンド３３を通路２１に突出させて商品Ｇを下から支える。
ベンド機構３０で商品Ｇを排出させる場合は、ベンド３３をベンドメック３１側に移動させて通路２１を開放し、商品Ｇを排出させる。ベンド機構３０は、商品Ｇを１個排出させると、ベンド３３を再び通路２１側に突出させて商品Ｇを支える。より詳細には、図示していないが、ベンド機構はゲートレバーとロックレバーとから構成されており、商品を落下させて排出させるには、下から２番目の商品をロックレバーで保持するとともに、ゲートレバーを通路２１から後退させ、最下端の商品を落下させ、排出する。このプロセスを排出する商品数量に応じて実施される。調整板３２は商品Ｇの径寸法に合わせてベンドメック３１との距離が調整される。
【００１８】  シューター部４０は第１シューター４１と第２シューター４５とで構成されている。
第１シューター４１には、傾斜板４２、側板４３で構成されており、装置本体１０に固定されている。ベンド機構３０から排出された商品Ｇは図１に示すように傾斜板４２により左斜め下方向に導かれ、装置本体１０の前面１２側に移動する。この第１シューター４１は自動販売機にもともと備わっているものを再利用することができる。
第１シューター４１は図２に示すように、ベンド機構３０から排出された商品Ｇは中央の方向に導かれる。商品Ｇのうち左右の商品Ｇは側面傾斜部４４ａ、４４ｂによって矢印で示すように中央の方向へそれぞれ導かれている。側面傾斜部４４ａは第１シューター４１の傾斜板４２などに固定することで配置できる。また、側面傾斜部４４ｂは固定部材１５に固定されて配置されている。
【００１９】  第１シューター４１により排出された商品Ｇは第２シューター４５に移動する。第２シューター４５は図１に示すように右斜め下方向に傾斜板が配置されている。具体的には図１、図３に示すように、傾斜板は、第１傾斜板４５ａ、第２傾斜板４５ｂ、および第３傾斜板４５ｃ、さらには側板４６により構成され、一体物として構成されている。各傾斜板の傾斜角は第１傾斜板４５ａから第３傾斜板４５ｃに向けて次第に緩やかになっている。傾斜板のうち、第１傾斜板４５ａは固定部材１５に固定されており、第３傾斜板４５ｃは支持材１６ａ、１６ｂに固定されている。固定部材１５、および支持材１６ａ、１６ｂはいずれも装置本体１０に固定されている。第２シューター４５は第１シューター４１の幅より狭くなっており、図３において矢印（破線）で示すように、側面傾斜部４４ａ、４４ｂによって中央のほうに集められた商品Ｇはスムーズに導かれて移動することになる。ここで第２シューター４５は商品Ｇが装置本体１０の背面１３側へ移動するように構成されている。
なお、傾斜板は第１傾斜板４５ａ、第２傾斜板４５ｂ、および第３傾斜板４５ｃがそれぞれ傾斜角度を異ならせて構成されているが、全体が連続して斜め下方向に向く構造に構成してもよい。
【００２０】  第２シューター４５の商品排出側にはダンパー材４７が固定されている。具体的には、第３傾斜板４５ｃの側板４６にダンパー材４７が固定されている。ダンパー部材４７としては、回転や滑り落ちるときに発生するエネルギーをここで消耗させるために緩衝材として機能するものであり、エアークッション、ゴム、その他にポリウレタンなどの発泡材などを用いることができる。
【００２１】  ベンド機構１３から排出された商品Ｇは第１シューター４１、第２シューター４５を経てコンテンナ４８に導かれる。商品Ｇはコンテンナ４８に格納される前に、商品Ｇは一旦ダンパー材４７に当り、回転や滑り落ちるときに発生するエネルギーをここで消耗させる。したがって、商品仕分装置で仕分られた商品にへこみ、キズなどの発生が防止でき、その価値を減ずることなく、各所に設置されている自動販売機に補充することができる。なお、コンテンナ４８は台車４９の上に載置されており、移動作業が容易にされている。
【００２２】  図３において、装置本体１０は設置台５０の上に据え付けられている。設置台５０にはスペースＳがあり、第２シューター４５の第２傾斜板４５ｂ、第３傾斜板４５ｃ、支持材１６ａ、１６ｂなどがこのスペースＳに配置されている。なお、設置台５０の代わりに、スペースを確保するために装置本体１０に脚部を設けてもよい。また、装置本体１０の中に第２シューター４５の傾斜板や、支持部材１６ａ、１６ｂなどが配置できるようにスペースを確保するようにしてもよい。さらに、図１に示すように、装置本体内１０にはスイッチ、通信用の受信部、制御回路などを収納している制御盤５１が配置されている。
以上、説明した商品仕分装置によれば、商品の投入口と商品排出口が装置本体の前面と背面にそれぞれあるため、商品投入作業と商品排出作業がそれぞれ同時に行え、作業効率の向上が図れる。
【００２３】  次ぎに、この装置本体１０を制御して、各所に設置している自動販売機に対する商品補充システムを説明する。
まず、パーソナルコンピュータが通信網を介して自動販売幾からその販売機の販売情報を取得する。パーソナルコンピュータは、取得した販売情報に基づいて、各所に設置している自動販売機に補充すべき商品の種類や数量などの商品の補充内容情報を算出する。パーソナルコンピュータは補充内容情報に応じた排出信号を装置本体１０に送信する。
商品仕分場内に設けられた装置本体１０は制御盤５１内に設置した受信部で排出信号を受信すると、ベンド機構３０から商品Ｇを排出させるように制御し、補充を必要とする自動販売機ごとに必要な商品およびその商品数量が装置本体１０から排出される。
【００２４】  装置本体１０から自動排出された商品Ｇは、コンテンナ４８に収容され、このコンテナ４８をルートマンが商品運搬トラックに積み込み、巡回して各所に設置されている各自動販売機に商品を補充する。このように、ルートマンは、補充すべき商品を自動販売機が設置されている各所で商品運搬トラックからバラで商品出しや仕分をする必要がないため、路上での荷捌きも短時間で済み、効率よく自動販売機に商品を補充することができる。
【符号の説明】
【００２５】  １０    装置本体
１１    商品投入口
１２    前面
１３    背面
２０    商品収納部
３０    ベンド機構
３１    ベンドメック
３２    ベンド
４１    第１シューター
４２    傾斜板
４４ａ、４４ｂ  側面傾斜部
４５    第２シューター
４５ａ  第１傾斜板
４５ｂ  第２傾斜板
４５ｃ  第３傾斜板
４７    ダンパー部材
４８    コンテナ
Ｇ      商品
【図１】
2019008755.tif 000003
【図２】
2019008755.tif 000004
【図３】
2019008755.tif 000005